(57)【特許請求の範囲】
【請求項１】
建物の窓部に固定された手摺本体と、該手摺本体に室内側から着脱可能に取り付けられる着脱手摺とを備え、前記着脱手摺は、仮留め可能なよう室内側から倹鈍式で上下両側を手摺本体に係合可能とされると共に、本留手段によって手摺本体に固定可能とされたことを特徴とする窓手摺。
【請求項２】
前記手摺本体に、着脱手摺を仮留めする複数対の上側ピン及び下側ピンが突設され、前記着脱手摺に、倹鈍式で上側ピン及び下側ピンにそれぞれ係合可能な上側切欠及び下側切欠が形成されたことを特徴とする請求項１に記載の窓手摺。
【請求項３】
前記手摺本体に、着脱手摺の室外側への移動を阻止するストッパーが設けられたことを特徴とする請求項１又は２に記載の窓手摺。
【請求項４】
前記窓部の室外側に、空気調和機の室外機を保持する室外機保持部が設けられたことを特徴とする請求項１、２又は３に記載の窓手摺。
【発明の詳細な説明】
【技術分野】
【０００１】
本発明は、建物の窓から人や物が落下するのを防止するための窓手摺に関するものである。
【背景技術】
【０００２】
一般に、建物の床面から比較的に低い位置に窓が設けられている場合、その窓から人や物が落下するのを防止するための窓手摺を設置することが多い。
【０００３】
図１１に示すように、窓手摺１０１を設置した窓１０２の外に空気調和機の室外機１０３を据え付けるには、その室外機１０３を窓手摺１０２よりも外側に据え付ける必要がある（例えば、特許文献１）。
【先行技術文献】
【特許文献】
【０００４】
【特許文献１】実開昭５４−５４１５９（図１）
【発明の概要】
【発明が解決しようとする課題】
【０００５】
ところで、窓の外に室外機を据え付けるには、窓を通して室内側から室外機を持ち出して据え付けるのが効率的であるが、窓手摺を設置している場合には、脚立や高所作業車を用いて建物の外から据え付ける必要があり、その分、室外機の据え付けに要するコストが高くなりやすい。
【０００６】
これに対し、室外機を据え付ける際に窓手摺を取り外して、室外機を室内側から据え付けることも考えられるが、単に窓手摺を容易に取り外せるようにすると、その固定が不十分になりやすく、人や物の落下を防止する機能を損なうおそれがある。
【０００７】
本発明は、窓部への着脱を容易にしつつ、人や物の落下を確実に防止することのできる窓手摺の提供を目的とする。
【課題を解決するための手段】
【０００８】
上記目的を達成するために、本発明に係る窓手摺は、建物の窓部に固定された手摺本体と、この手摺本体に室内側から着脱可能に取り付けられる着脱手摺とを備えたものであり、その着脱手摺を、仮留め可能なよう室内側から倹鈍式で上下両側を手摺本体に係合可能とすると共に、本留手段によって手摺本体に固定可能としたものである。
【０００９】
上記構成によれば、手摺本体に着脱可能に着脱手摺を取り付けて窓手摺を構成するので、必要に応じて着脱手摺を取り外し、窓手摺を設けた窓から物を出し入れすることができる。しかも、着脱手摺を手摺本体に仮留めした上で本留めするので、その本留めが不十分であったり、万一、本留めするのを失念したりしても、仮留めにより、着脱手摺が不意に外れるのを阻止することができ、本留手段の留め外しを比較的に簡単にしつつ、人や物の落下を確実に防止することができる。
【００１０】
さらに、着脱手摺の仮留めに倹鈍式を用いるので、特別な工具を用いることなく、着脱手摺を手摺本体に仮留めして、着脱手摺に対して前後方向に作用する力を確実に受けることができる。ここで、倹鈍式による仮留めは、着脱手摺を上向きに持ち上げるようにして、その上部を手摺本体に係合させた後、着脱手摺を下向きに落とし込むようにして、その下部を手摺本体に係合させることにより、着脱手摺の上下両側を手摺本体に係合させる仮留めの手法である。
【００１１】
また、手摺本体に、着脱手摺を仮留めする複数対の上側ピン及び下側ピンを突設し、着脱手摺に、倹鈍式で上側ピン及び下側ピンにそれぞれ係合可能な上側切欠及び下側切欠を形成するようにしてもよい。
【００１２】
この構成によると、手摺本体に上側ピン及び下側ピンを突設して着脱手摺を仮留めするので、仮留めに用いる部分を極力小さくすることができ、着脱手摺を取り外して窓から物を出し入れする際、手摺本体に設けられた仮留め用の部分が邪魔になるのを防止することができる。なお、手摺本体に、上側ピン及び下側ピンの代わりに、上下一対の保持溝を形成し、この上下の保持溝に着脱手摺の上下端部を倹鈍式で挿入することによって、着脱手摺を仮留めするようにしてもよい。
【００１３】
また、手摺本体に、着脱手摺の室外側への移動を阻止するストッパーを設けるようにしてもよい。
【００１４】
この構成によると、手摺本体にストッパーを設けて、着脱手摺の室外側への移動を阻止するので、万一、着脱手摺の本留めが不十分であったり失念したりし、さらに加えて、着脱手摺に上向きに持ち上げる力が作用して仮留めが外れたとしても、ストッパーによって、着脱手摺が室外側に外れるのを阻止することができ、窓からの人や物の落下を防止することができる。
【００１５】
また、窓部の室外側に、空気調和機の室外機を保持する室外機保持部を設けるようにしてもよい。
【００１６】
この構成によると、窓部の室外側に室外機保持部を設けて、窓の室外側に空気調和機の室外機を保持するので、窓手摺を設けつつ、重い室外機を室内側から出し入れする際に着脱手摺を取り外すという、本発明の好適な態様を提供することができる。
【発明の効果】
【００１７】
以上のとおり、本発明によると、着脱手摺を倹鈍式で仮留めした上で本留めして窓手摺を構成し、窓から物を出し入れする際に着脱手摺を取り外すようにしている。これにより、本留めが不十分であったり失念したりしても、仮留めにより、着脱手摺が不意に外れるのを阻止することができ、本留手段の留め外しを比較的に簡単にして、窓部への着脱を容易にしつつ、窓からの人や物の落下を確実に防止することができる。
【図面の簡単な説明】
【００１８】
【図１】本発明に係る窓手摺の正面図
【図２】図１のＡ−Ａ断面図
【図３】図１のＢ−Ｂ断面図
【図４】図１の拡大Ｃ−Ｃ断面図
【図５】手摺本体の正面図
【図６】図５の拡大Ｄ−Ｄ断面図
【図７】図５の拡大Ｅ−Ｅ断面図
【図８】着脱手摺の着脱を説明する図
【図９】図８のＦ部拡大図
【図１０】図８のＧ部拡大図
【図１１】従来の窓手摺を示す図
【発明を実施するための形態】
【００１９】
以下、本発明に係る窓手摺を実施するための形態について、図面を用いて説明する。
【００２０】
図１〜図４に示すように、窓手摺１は、例えば、建物の窓２の外に設けた室外機保持部３で空気調和機の室外機を保持する場合について、その窓２の略下半分を覆って人や物の落下を防止するためのものであり、窓部に固定された手摺本体４と、手摺本体４に着脱可能に取り付けられる着脱手摺５とを備え、その着脱手摺５を、手摺本体４に倹鈍式で仮留めすると共に、本留手段６によって本留めしたものである。
【００２１】
図１〜図４、及び図５〜図７に示すように、手摺本体４は、窓２の略下半分の左右両側に位置する左右の支柱７、８と、窓２の略下半分の中央に位置する中央の支柱９と、支柱７、８、９の上部に架け渡された上弦材１０と、左側及び中央の支柱７、９の下部に架け渡された下弦材１１と、左側及び中央の支柱７、９の間に配置された複数の縦桟１２とからなり、右側及び中央の支柱８、９の間に着脱手摺５を装着するようになっている。
【００２２】
左右の支柱７、８は、例えばアルミニウム製で、断面長方形の中空部材とされ、その上下端付近を窓２の略下半分の左右両側の壁面にＬ形金具１３を介して固定されている。中央の支柱９は、例えばアルミニウム製で、断面長方形の中空部材とされ、その下端を窓２の下側の壁面にＬ形金具１３を介して固定されている。
【００２３】
右側及び中央の支柱８、９の互いに対向する面には、各支柱８、９の上端付近及び下端付近から水平に突出する上側ピン１４及び下側ピン１５が設けられ、着脱手摺５の上下端部を仮留めするようになっている。
【００２４】
右側及び中央の支柱８、９の外側面には、他方の支柱８、９に向かって突出するように、ストッパーとしての固定プレート１６がビス留めされ、この固定プレート１６が着脱手摺５の室外側への移動を阻止するようになっている。固定プレート１６は、その上下方向の長さを上側ピン１４及び下側ピン１５の間隔よりも僅かに短く設定され、左右方向の板幅を支柱８、９の各柱幅と着脱手摺５の後述する縦枠１７、１８の各部材幅との合計幅にほぼ等しい大きさに設定される。
【００２５】
上弦材１０は、例えばアルミニウム製で、断面長方形の中空部材とされて、その両端を左右の支柱７、８に支持され、窓２の高さ方向で中程を内外に仕切ると共に、中央の支柱９の上端を支持している。下弦材１１は、例えばアルミニウム製で、断面長方形の中空部材とされ、その両端を左側及び中央の支柱７、９に支持されている。縦桟１２は、例えばアルミニウム製で、断面長方形の中空部材とされて、その上下端を上弦材１０及び下弦材１１に支持され、窓２の略下半分の左側を内外に仕切る。
【００２６】
着脱手摺５は、左右の縦枠１７、１８と、縦枠１７、１８の上下端に架け渡された上枠１９及び下枠２０と、縦枠１７、１８の間に配置された複数の縦桟２１とからなり、その縦枠１７、１８を手摺本体４の右側及び中央の支柱８、９に接触させるように配置される。着脱手摺５の縦枠１７、１８の上下端には、手摺本体４の上側ピン１４及び下側ピン１５にそれぞれ係合可能な上側切欠２２及び下側切欠２３が形成され、着脱手摺５を手摺本体４に倹鈍式で取り付けて仮留めするようになっている。
【００２７】
本留手段６は、手摺本体４の右側及び中央の支柱８、９に止着された複数の雌ねじ２４と、雌ねじ２４に螺合される固定ボルト２５とからなり、着脱手摺５を手摺本体４に仮留めした後、縦枠１７、１８の内部で雌ねじ２４に固定ボルト２５の雄ねじを螺合して、着脱手摺５を手摺本体４に本留めするようになっている。
【００２８】
次に、図８〜図１０を参照し、空気調和機の室外機を取り付けた後、着脱手摺５を手摺本体４に装着する手順を説明する。
【００２９】
まず、手摺本体４から着脱手摺５を取り外して、室内側から窓２の外の室外機保持部３に空気調和機の室外機を据え付ける。その際、手摺本体４のうちの着脱手摺５を取り外した左側及び中央の支柱７、９の間には下弦材１１がなく、室内側から室外機を容易に持ち出すことができる。
【００３０】
室外機を据え付けた後、着脱手摺５を傾けて室内側から斜め上向きに持ち上げるようにして、その上側切欠２２を手摺本体４の上側ピン１４に係合させる（図８〜図１０の二点鎖線）。次いで、上側切欠２２に上側ピン１４を係合させたまま、着脱手摺５の傾きを戻すようにして、その縦枠１７、１８を手摺本体４の固定プレート１６に当接させ、着脱手摺５を真直ぐに立てる（図８〜図１０の実線）。さらに、着脱手摺５を下向きに落とし込むようにして、下側切欠２３を手摺本体４の下側ピン１５に係合させ、倹鈍式で着脱手摺５を手摺本体４に仮留めする。
【００３１】
手摺本体４の右側及び中央の支柱８、９に止着された複数の雌ねじ２４のそれぞれに固定ボルト２５を螺合することにより、本留手段６で着脱手摺５を手摺本体４に本留めし、これにより、手摺本体４への着脱手摺５の装着が完了する。
【００３２】
上記構成によれば、手摺本体４に着脱手摺５を着脱可能に取り付けて窓手摺１を構成し、空気調和機の重い室外機を窓２の外の室外機保持部３に据え付ける際に、着脱手摺５を取り外すようにしている。
【００３３】
窓手摺１では、着脱手摺５を固定ボルト２５で手摺本体４に本留めする前に、着脱手摺５を倹鈍式で仮留めするようにし、さらに、手摺本体４に固定プレート１６を設けるので、本留手段６による本留めが不十分であったとしても、着脱手摺５が不意に外れることがない。しかも、上側ピン１４及び下側ピン１５を用いることで、着脱手摺５の仮留めに用いる部材を極力小さくすることができ、着脱手摺５を取り外して室外機を出し入れする際、仮留め用の部材が邪魔になるのを防止することができる。
【００３４】
なお、本発明は、上記の実施の形態に限定されるものではなく、本発明の範囲内において、適宜変更を加えることができる。例えば、上側ピン１４及び下側ピン１５を用いる代わりに、手摺本体４に上下一対の保持溝を形成し、この上下の保持溝に着脱手摺５の上下端部を倹鈍式で仮留めするようにしてもよい。
【００３５】
また、支柱８、９にストッパーとしての固定プレート１６をビス留めする代わりに、ストッパーを支柱８、９と一体に形成するようにしてもよく、ストッパーを適宜省略するようにしてもよい。また、窓２の外の室外機保持部３に空気調和機の室外機を据え付けるだけでなく、その他のものを窓２から出し入れする際に、着脱手摺５を取り外すこともできる。
【符号の説明】
【００３６】
１      窓手摺
２      窓
３      室外機保持部
４      手摺本体
５      着脱手摺
６      本留手段
７、８  支柱（左右）
９      支柱（中央）
１０    上弦材
１１    下弦材
１２    縦桟（手摺本体）
１３    Ｌ形金具
１４    上側ピン
１５    下側ピン
１６    固定プレート
１７、１８  縦枠
１９    上枠    
２０    下枠
２１    縦桟（着脱手摺）
２２    上側切欠
２３    下側切欠
２４    雌ねじ
２５    固定ボルト
【要約】
【課題】窓部への着脱を容易にしつつ、人や物の落下を確実に防止することのできる窓手摺の提供。
【解決手段】建物の窓２に手摺本体４を固定する。手摺本体４に着脱可能な着脱手摺５を設ける。特別な工具を用いることなく、着脱手摺５を手摺本体４に倹鈍式で仮留めする。本留手段６によって着脱手摺５を手摺本体４に本留めする。必要に応じて着脱手摺５を取り外し、窓手摺１を設けた窓２から物を出し入れする。本留めが不十分である際、仮留めにより、着脱手摺５が不意に外れるのを阻止する。
【選択図】  図８【図１】
0006741928.tif 000002
【図２】
0006741928.tif 000003
【図３】
0006741928.tif 000004
【図４】
0006741928.tif 000005
【図５】
0006741928.tif 000006
【図６】
0006741928.tif 000007
【図７】
0006741928.tif 000008
【図８】
0006741928.tif 000009
【図９】
0006741928.tif 000010
【図１０】
0006741928.tif 000011
【図１１】
0006741928.tif 000012